(57)【要約】【課題】自然に近い照明環境を再現することができる照明装置を提供する。【解決手段】照明装置１は、入射面３ａを有する透光性の透光板３と、透光板３を透過した映像光が対象物に投影されるように、透光板３の入射面３ａに映像光を照射する映像投影装置４とを備える。また、映像投影装置４の映像光は、第１波長領域の光と、第１波長領域の光よりも波長が長い第２波長領域の光とを含む。そして、透光板３は、第２波長領域の光よりも第１波長領域の光を多く吸収又は散乱させる。【選択図】図２
2018037243.tif 000002
【特許請求の範囲】
【請求項１】
入射面を有する透光性の透光板と、
前記透光板を透過した映像光が対象物に投影されるように、前記透光板の前記入射面に前記映像光を照射する映像投影装置とを備え、
前記映像投影装置の前記映像光は、第１波長領域の光と、前記第１波長領域の光よりも波長が長い第２波長領域の光とを含み、
前記透光板は、前記第２波長領域の光よりも前記第１波長領域の光を多く吸収又は散乱させる
照明装置。
【請求項２】
第１波長領域の光は、前記透光板に映像を照射する前記第１波長領域の映像光であり、
第２波長領域の光は、前記透光板に映像を照射する前記第２波長領域の映像光である
請求項１記載の照明装置。
【請求項３】
前記映像投影装置は、
白色光を発する光源と、
前記光源から前記白色光が入射する１台の映像形成部とを有し、
前記映像形成部からは、前記映像光が出射する
請求項１又は２記載の照明装置。
【請求項４】
前記映像投影装置は、
映像に対応する映像形成部と、
前記映像形成部から前記映像光を出射するように白色光を発する光源とを有し、
前記光源が発する前記白色光から波長の青色成分の光を分離した前記第２波長領域の光を前記映像形成部に照射し、前記第２波長領域の映像光を出射させ、前記第１波長領域の光と前記第２波長領域の映像光とを前記透光板に照射する
請求項１記載の照明装置。
【請求項５】
前記映像投影装置が前記透光板に前記映像光を照射した場合に、前記映像投影装置と前記透光板との間には、焦点が形成される
請求項１〜４のいずれか１項に記載の照明装置。
【請求項６】
前記映像投影装置は、映像光を少なくとも前記透光板の前記入射面全体に照射する
請求項１〜５のいずれか１項に記載の照明装置。
【請求項７】
前記映像投影装置は、前記映像光の色温度及び明るさの少なくともいずれかを可変する
請求項１〜６のいずれか１項に記載の照明装置。
【請求項８】
前記映像投影装置が前記入射面に照射した前記映像光の色温度は、９０００Ｋ以上１５０００Ｋ以下であり、
前記映像投影装置が前記透光板を透光して対象物に投影した前記映像光の色温度は、２７００Ｋ以上６５００Ｋ以下である
請求項１〜７のいずれか１項に記載の照明装置。
【請求項９】
前記透光板は、波長が３８０ｎｍ以上５５０ｎｍ以下の光において、少なくとも一部の波長成分の光を吸収又は散乱する
請求項１〜８のいずれか１項に記載の照明装置。
【請求項１０】
前記映像投影装置は、前記映像光の光軸が前記入射面の法線に対して傾斜した状態で、前記映像光を前記入射面に照射する
請求項１〜９のいずれか１項に記載の照明装置。
【請求項１１】
さらに、前記映像光の前記光軸と前記入射面との角度が変化するように、前記映像投影装置を揺動させる揺動部を備える
請求項１０記載の照明装置。
【請求項１２】
さらに、
前記映像光の前記光軸を反射させて、前記透光板に前記映像光を照射するように設けられた反射板を備え、
前記揺動部は、さらに、前記反射板を揺動させることで、前記反射板で反射した前記映像光の前記光軸と前記入射面との角度が変化するように、前記反射板を揺動させる
請求項１１記載の照明装置。
【請求項１３】
前記映像光の前記光軸と前記入射面との角度の変化に応じ、前記映像光の色温度を可変する
請求項１１又は１２記載の照明装置。
【請求項１４】
前記映像投影装置の前記映像光は、時間的に変化する動画像を含む
請求項１〜１３のいずれか１項に記載の照明装置。
【発明の詳細な説明】
【技術分野】
【０００１】
本発明は、照明装置に関する。
【背景技術】
【０００２】
従来、映像（映像光の一例）を照射する液晶パネル（透光板の一例）と、映像を表示する液晶表示装置（映像投影装置の一例）と、映像を生成する映像生成手段（映像投影装置の一例）とを備えた照明装置が開示されている（例えば特許文献１参照）。
【０００３】
この照明装置では、液晶表示装置が映像を表示することで、光が差し込む照明環境を造りだしている。
【先行技術文献】
【特許文献】
【０００４】
【特許文献１】特開２０１３−９２６１６号公報
【発明の概要】
【発明が解決しようとする課題】
【０００５】
しかしながら、特許文献１の照明装置では、透光板から出射した光が対象物に照射した際に、映像投影装置が生成した映像と同一の映像が対象物に投影される。例えば、通常、窓から光が差し込む環境では、窓には木漏れ日等の陰影が映るが、対象物に移る陰影はぼやけている。このため、従来の照明装置では、自然光を模した照明が行われておらず、自然に近い照明環境を提供することができていない。
【０００６】
そこで、本発明は、自然に近い照明環境を再現することができる照明装置を提供することを目的とする。
【課題を解決するための手段】
【０００７】
上記目的を達成するため、本発明の一態様に係る照明装置は、入射面を有する透光性の透光板と、前記透光板を透過した映像光が対象物に投影されるように、前記透光板の前記入射面に前記映像光を照射する映像投影装置とを備え、前記映像投影装置の前記映像光は、第１波長領域の光と、前記第１波長領域の光よりも波長が長い第２波長領域の光とを含み、前記透光板は、前記第２波長領域の光よりも前記第１波長領域の光を多く吸収又は散乱させる。
【発明の効果】
【０００８】
本発明によれば、自然に近い照明環境を再現することができる。
【図面の簡単な説明】
【０００９】
【図１】実施の形態１に係る照明装置の模式断面図と、透光板に照射及び対象物に投影された映像を示すイメージ図である。
【図２】実施の形態１に係る照明装置の模式断面図と、Ａ−Ａ断面で切断した場合の断模式面図である。
【図３】実施の形態１に係る照明装置の透光板を透過した場合に散乱する映像光の波長と散乱率との関係を示す説明図である。
【図４】実施の形態１に係る照明装置を示すブロック図である。
【図５】実施の形態１に係る照明装置の映像投影装置、焦点、透光板及び対象物の関係を示す模式図と、透光板に照射及び対象物に投影された映像を示すイメージ図である。
【図６】実施の形態２に係る照明装置の模式断面図である。
【図７】実施の形態２に係る照明装置を示すブロック図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
以下、本発明の実施の形態に係る照明装置１について説明する。
【００１３】
［構成］
まず、本実施の形態に係る照明装置１の構成について図１〜図５を用いて説明する。
【００１４】
図１は、本実施の形態に係る照明装置１の模式断面図と、透光板３に照射及び対象物に投影された映像Ｍ１、Ｍ２を示すイメージ図である。図２は、本実施の形態に係る照明装置１の模式断面図と、Ａ−Ａ断面で切断した場合の断模式面図である。図３は、本実施の形態に係る照明装置１の透光板３を透過した場合に散乱する映像光の波長と散乱率との関係を示す説明図である。図４は、本実施の形態に係る照明装置１を示すブロック図である。図５は、本実施の形態に係る照明装置１の映像投影装置４、焦点Ｆ、透光板３及び対象物の関係を示す模式図と、透光板３に照射及び対象物に投影された映像を示すイメージ図である。なお、図１及び図５の透光板３に照射された映像Ｍ１において、映像光は、透光板３を透過するため、映像Ｍ１のようには映らないが、透光板３に映像が映った場合を示すイメージ図である。図２では、開口部２ａ周辺に映像Ｍ１を映し、透光板３で映像光が透過している図を示す。
【００１５】
図１では、照明装置１において、映像投影装置４側を上方向と規定し、上下、左右及び前後の各方向を表示する。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００１６】
図１及び図２に示すように、照明装置１は、自然光を模した照明を再現し、かつ、動きのある陰影を付加した照明を行うことができる装置である。自然環境を模した光とは、具体的には、青空と日向（陰影のある光）を同時に再現した光である。照明装置１は、例えば、室内の壁や天井に埋め込むように設置されている。照明装置１は、図４の操作部１１を有し、操作部１１を介して映像投影装置４が対象物に投影する映像光の色、明るさ（輝度）、映像の種類等を選択することができる。操作部１１は、照明装置１と電気的に接続された操作パネルであってもよく、無線通信で操作可能なリモートコントローラであってもよい。対象物は、床や壁等であり、映像光が照射される物体である。映像光は、主に可視光領域である３８０ｎｍから７８０ｎｍまでの映像を含んだ光であり、対象物に投影されると、映像Ｍ２が映る光である。映像光は、明暗（陰影）のある光であり、例えば、日向、木漏れ日等であり、例えば、テレビに映るフルカラーの映像とは異なる。
【００１７】
照明装置１は、筐体２と、透光板３と、映像投影装置４とを備える。
【００１８】
筐体２は、下方に開口部２ａが設けられた有底の箱状をなし、内部に映像投影装置４を収容している。筐体２は、透光板３が天井から露出するように、天井に固定されている。本実施の形態では、筐体２は、上下方向に延びるように天井に支持された、円筒状をなしている。なお、照明装置１の機能を発揮できるように透光板３及び映像投影装置４を、壁や天井等の設備に設置するのであれば、筐体２は、必須の構成要件ではない。
【００１９】
図１及び図２に示すように、透光板３は、透光性を有する平板状の部材であり、筐体２の開口部２ａを覆うように、筐体２に固定されている。本実施の形態では、透光板３は、円盤状をなしているが、開口部２ａの形状に合わせて適宜変更することができる。つまり、透光板３は、平面視で、多角形でもよく、楕円形でもよく、これらを組み合わせた形状でもよい。
【００２０】
透光板３は、入射面３ａと出射面３ｂとを有する。
【００２１】
入射面３ａは、映像投影装置４から出射された映像光が入射する面である。入射面３ａは、筐体２の内側に配置され、透光板３の上面である。本実施の形態では、入射面３ａを含む筐体２内の下面に映像光が照射されると、図１のような映像Ｍ１が映る。映像投影装置４は、映像光を少なくとも透光板３の入射面３ａ全体に照射し、本実施の形態では、透光板３及び筐体２の開口部２ａ周辺部分に照射する。この場合、透光板３の端部側で、不自然に映像光が途切れておらず、透光板３の端部側が暗く見え難い。透光板３の出射面３ｂから出射する映像光及び対象物に投影された映像Ｍ２を見ても、使用者が違和感を覚え難くなる。
【００２２】
出射面３ｂは、入射面３ａとは反対側の下側面であり、筐体２の開口部２ａから露出している面である。出射面３ｂは、入射面３ａから入射した映像光が出射する面である。
【００２３】
透光板３は、アクリルやポリカーボネート等の透光性樹脂材料又は透明なガラス材料等の透光性を有する材料で形成される。青色光を含む波長領域である、３８０ｎｍ以上５５０ｎｍ以下の波長の映像光において、透光板３は、一部の波長成分の映像光を吸収、又は散乱する性質を有する。本実施の形態では、透光板３の一例として、入射した映像光がレイリー散乱を起こすレイリー拡散板を用いている。
【００２４】
透光板３は、透光性のあるアクリル等の樹脂を基材とし、内部にナノコンポジット材料等の拡散材を分散させた部材である。ナノコンポジット材料は、例えば、シリカ、酸化チタン、酸化亜鉛、酸化ジルコニア等の酸化金属である。ナノコンポジット材料の粒子径が光の波長に比べ充分に小さい場合、透光板３に入射した光は、レイリー散乱を起こす。
【００２５】
透光板３は、内部にナノコンポジット材料を分散させた部材であるため、後述する第２波長領域の光よりも、後述する第１波長領域の光を吸収又は散乱させる性質を有する。
【００２６】
映像投影装置４は、透光板３を透過した映像光が対象物に投影されるように、透光板３の入射面３ａに映像光を照射する装置である。映像投影装置４が透光板３に映像光を照射すると、透光板３を透過してその先にある対象物に映像光が投影され、映像Ｍ２が映る。映像Ｍ２は、映像Ｍ１が透光板３を透過して対象物に投影されることで、映像Ｍ１よりもぼやけた映像となる。
【００２７】
映像投影装置４は、筐体２の底部（筐体２の上側）に配置され、透光板３の入射面３ａ全体に映像光を照射するように設けられている。映像投影装置４は、映像光の光軸Ｘが透光板３と交差するように設けられる。より具体的には、映像光の光軸Ｘと出射面３ｂの法線との角度が、０°よりも大きく９０°よりも小さくなるように、筐体２に設けられている。言い換えれば、映像投影装置４は、映像光の光軸Ｘが入射面３ａの法線に対して傾斜した状態で、入射面３ａに映像光を照射する。映像投影装置４が透光板３に照射する映像Ｍ１は、静止画像であってもよく、時間的に変化する動画像であってもよい。
【００２８】
図２に示すように、映像投影装置４は、透光板３に映像光を照射した場合に、映像投影装置４と透光板３との間には、焦点Ｆが形成されるように映像光を照射する。つまり、後述する光源４４が照射した光は、後述する映像形成部４１を介して映像光となり、映像投影装置４と透光板３との間に焦点Ｆを形成する。本実施の形態において、焦点Ｆが存在している位置は、一例であり、図２の位置に限定されない。
【００２９】
映像投影装置４が出射する映像光には、第１波長領域の映像光と、第１波長領域の映像光よりも波長が長い第２波長領域の映像光とを含む。図３に示すように、映像光の波長が大きくなるとともに、透光板３を透過する映像光の散乱率が減少していることが判る。第１波長領域の映像光は、第２波長領域の映像光よりも波長が短いため、透光板３を透過する際に、第２波長領域の映像光よりも透光板３の拡散材で吸収又は散乱し易い。一方で、第２波長領域の映像光は、第１波長領域の映像光よりも波長が長いため、第１波長領域の映像光よりも透光板３で略直進透過し易い。第２波長領域の映像光は、映像投影装置４が出射する映像のうち、第１波長領域の映像光を除く残余の光である。なお、第１波長領域の映像光は、例えば、約３８０ｎｍから約５５０ｎｍまでの青色光を含む光であってもよく、第２波長領域の映像光は、例えば、約５５０ｎｍから約７８０ｎｍまでの光であってもよい。
【００３０】
図４に示すように、映像投影装置４は、映像形成部４１と、制御部４２と、記憶部４３と、光源４４と、電源部４６と、レンズとを有する。
【００３１】
映像形成部４１は、映像に対応する映像光が出射される装置であり、本実施の形態では、一例として、透光性を有し、映像を表示する液晶パネル等を用いているが、映像を表示する液晶パネルには限定されない。制御部４２は、記憶部４３に格納されている映像を映像形成部４１に表示させる。記憶部４３には、複数の映像パターンが格納されている。映像形成部４１に照射された光源４４からの光は、映像形成部４１を透光して映像光となる。そして、透光板３の入射面３ａに映像光が照射される。
【００３２】
制御部４２は、タイマ機能を有し、例えば、透光板３に照射する映像光を所定時間毎に変化させてもよく、所定時間が経過した場合に、映像光を変化させてもよい。例えば、タイマによる一日の時間の経過に連動（同期）して、記憶部４３に記憶された一日における夜明けから日没まで連続して変化する映像光を、透光板３を介して対象物に投影してもよい。また、使用者が任意に映像を選択することで、例えば、夜中であっても、昼の日差しを感じることができるような映像光を、透光板３を介して対象物に投影してもよい。所定時間は、予め設定されている時間であるが、使用者が任意に設定してもよい。制御部４２は、例えば、マイクロコンピュータ、プロセッサ、または専用回路によってこれらの動作を実現してもよい。
【００３３】
制御部４２は、光源４４を点灯制御して、時間の経過に連動した光色を出射するように、光色を連続的に変化させてもよい。また、制御部４２は、太陽、月、星等の変化による光と影の向き（窓から差し込まれたかのような光の向き）を、時間の経過に連動するように、映像及び光色を連続的に変化させてもよい。
【００３４】
制御部４２は、駆動回路等を介して光源４４が発する光の明るさを制御することで、透光板３に照射する映像光の色温度及び明るさの少なくともいずれかを可変する。制御部４２は、透光板３の入射面３ａに照射する色温度が９０００Ｋ以上１５０００Ｋ以下となるように映像光の色温度を可変する。制御部４２は、透光板３を透過して対象物に投影した映像光の色温度が２７００Ｋ以上６５００Ｋ以下となるように、映像投影装置４が映像光の色温度を可変する。
【００３５】
記憶部４３は、制御部４２にプロセッサまたはマイクロコンピュータなどが含まれる場合に、制御部４２が実行する制御プログラムが記憶される装置である。記憶部４３は、例えば、半導体メモリによって実現される。記憶部４３には、映像投影装置４が投影する映像に関する情報が格納されている。
【００３６】
光源４４は、例えば、ＬＥＤ等の発光素子であり、映像を表示する映像形成部４１に光を照射する。本実施の形態では、光源４４が発する光は白色光を用いている。この映像投影装置４は、光源４４が発する白色光を、波長分離フィルタ等を用いて波長によって複数の光路に分割したり、カラーホイール等による波長の時分割を行ったりすることなく、略同一の光路および光学部材を経由して映像形成部４１に照射し、映像形成部４１を介して透光板３に映像光を照射する。
【００３７】
光源４４は、照明装置１に設けられている駆動回路により制御されて点灯及び消灯を行う。また、光源４４は、駆動回路が電源部４６を制御し（電力の供給量を調節することで）、調光制御（明るさの制御）及び調色制御（発光色の制御）が行われる。駆動回路は、例えば、入力された信号に応じて、光源４４に供給する電流値等を制御するマイクロコンピュータ、プロセッサ、または専用回路等によって実現される。なお、駆動回路は、制御部４２に設けられていてもよく、制御部４２とは別体であってもよい。
【００３８】
電源部４６は、回路基板と、当該回路基板に実装された回路部品とからなる回路ユニットであり、光源４４を点灯（発光）させるための電力を光源４４に供給する。電源部４６は、例えば、電力系統から供給される電力を、整流、平滑及び降圧等して所定レベルの直流電力に変換し、当該直流電力を光源４４に供給する。光源４４は、電源回路から供給される直流電力によって発光する。
【００３９】
レンズは、透光性を有し、映像形成部４１から出射された映像光を結像させる機能を有する。
【００４０】
このような照明装置１では、映像光は、透光板３に照射された色温度が９０００Ｋ以上１５０００Ｋ以下となるように、映像投影装置４から透光板３に向けて出射される。映像光は、透光板３の入射面３ａから入射し、透光板３を透過する。映像光が透光板３を透過する際に、透光板３内に含まれる拡散材により、３８０ｎｍ以上５５０ｎｍ以下の波長の映像光は、少なくとも一部の波長成分が吸収、又は散乱される。そして、出射面３ｂから出射した映像光は、色温度が２７００Ｋ以上６５００Ｋ以下となるように、対象物に投影される。このため、透光板３は青空のように青く光る映像が映され、対象物には日向が再現された黄色に光る映像が映される。
【００４１】
図５に示すように、映像投影装置４の光軸上において、焦点Ｆから距離Ｄ１に位置している透光板３は、焦点Ｆから距離Ｄ２に位置している対象物よりも焦点Ｆに近い位置に設けられているため、透光板３には焦点Ｆでの映像よりも少しぼやけた映像Ｍ１が映る。一方で、対象物は、透光板３よりも焦点Ｆから遠い位置に設けられているため、対象物には映像Ｍ１よりもよりぼやけた映像Ｍ２が映る。つまり、透光板３の映像Ｍ１と対象物の映像Ｍ２とのぼやけ具合の差異は、焦点Ｆと各照射面（透光板３と対象物）までの距離との大小で決まる。
【００４２】
［作用効果］
次に、本実施の形態における照明装置１の作用効果について説明する。
【００４３】
上述したように、本実施の形態に係る照明装置１は、入射面３ａを有する透光性の透光板３と、透光板３を透過した映像光が対象物に投影されるように、透光板３の入射面３ａに映像光を照射する映像投影装置４とを備える。また、映像投影装置４の映像光は、第１波長領域の光と、第１波長領域の光よりも波長が長い第２波長領域の光とを含む。そして、透光板３は、第２波長領域の光よりも第１波長領域の光を多く吸収又は散乱させる。
【００４４】
この構成によれば、透光板３が第１波長領域の光（高色温度）を多く散乱し、第２波長領域の光（低色温度）を直進透過させることで、例えば、透光板３では青く光る高色温度の映像が映り、対象物では太陽の直射日光が作る日向のように、低色温度の映像光が空間を照らす。このため、この照明装置１では、青空と日向という異なる環境要素を１台の照明装置１で同時に実現することができる。
【００４５】
したがって、この照明装置１によれば、自然に近い照明環境を再現することができる。
【００４６】
また、本実施の形態に係る照明装置１において、第１波長領域の光は、透光板３に映像Ｍ１を照射する第１波長領域の映像光である。そして、第２波長領域の光は、透光板３に映像Ｍ２を照射する第２波長領域の映像光である。
【００４７】
この構成によれば、透光板３が第１波長領域の映像光を多く散乱し、第２波長領域の映像光（低色温度）を直進透過させることで、透光板３は青く光る映像が映り、対象物では、太陽の直射日光が作る日向のように、低色温度の映像光が空間を照らされる。つまり、青空と日向という異なる環境要素を１台の照明装置１で同時に実現することができる。このため、この照明装置１では、より自然環境を模した照明を実現することができる。
【００４８】
また、本実施の形態に係る照明装置１において、映像投影装置４は、白色光を発する光源４４と、光源４４から白色光が入射する１台の映像形成部４１とを有する。そして、映像形成部４１からは、映像光が出射する。
【００４９】
この構成によれば、光源４４及び映像形成部４１を有する映像投影装置４を用いるだけで、プロジェクターを用いることなく自然光を模した照明を実現することができる。つまり、通常のプロジェクターのように、フルカラーの映像を作るために用いている色分離光学系（３ＬＣＤ方式のように光源が発する白色光をＲＧＢで異なる光路に分割したり、単板ＤＬＰ方式のように、カラーホイールでＲＧＢを時間的に分割したりする光学系）を用いることもない。このため、映像投影装置４は、光源４４が発する白色光を、波長によって複数の光路に分割したり、カラーホイール等による波長の時分割を行ったりすることなく、略同一の光路および光学部材を経由して映像形成部４１に照射する。このため、光源４４と映像形成部４１との間の光路をなす光学系を、光源４１が発する白色光に対し、波長に依存した制御を施さずに映像形成部４１に到達させる光学系とすることによって、通常のプロジェクターよりも光学系の簡素化を図ることができる。このため、映像投影装置４による自然光の再現は、フルカラーのような映像ではなく、明暗の陰影形成で事足りる。このため、この照明装置１では、プロジェクターを用いる場合に比べ、簡素な構成で自然光を模した照明を実現することができるため、照明装置１の小型化及び軽量化を実現したり、製造コストの高騰化を抑制したりすることができる。
【００５０】
また、本実施の形態に係る照明装置１において、映像投影装置４が透光板３に映像光を照射した場合に、映像投影装置４と透光板３との間には、焦点Ｆが形成される。
【００５１】
この構成によれば、映像光の焦点Ｆの位置を光源４４と透光板３の間に設けることで、焦点Ｆと透光板３との距離Ｄ１の方が、投影される対象物と焦点Ｆとの距離Ｄ２よりも近くなる。このため、透光板３の入射面３ａに形成される映像Ｍ１が、対象物に投影された映像Ｍ２よりもぼやけ量が小さくなる。つまり、映像は、焦点Ｆから離れれば離れるほどぼける。これは、自然光が作る陰影の性質である。この照明装置１では、陰影を形成する物体（例えば木の枝など）から陰影が投影される面（対象物）までの距離が近いほど、陰影のぼけが小さく、この距離が遠いほどぼけが大きくなる現象（自然光が作る陰影の性質）を再現することができる。このため、この照明装置１では、より自然光を模した照明を実現することができる。
【００５２】
特に、この照明装置１では、焦点Ｆが映像投影装置４と透光板３との間に形成されるため、対象物には、よりぼやけた映像Ｍ２が投影され易い。
【００５３】
また、本実施の形態に係る照明装置１において、映像投影装置４は、映像光を少なくとも透光板３の入射面３ａ全体に照射する。
【００５４】
この構成によれば、例えば、透光板３の端部側で、不自然に映像光が途切れておらず、透光板３の端部側が黒く見え難い。このため、透光板３の出射面３ｂから出射する映像光及び対象物に投影された映像Ｍ２を見ても、使用者が違和感を覚え難い。
【００５５】
また、本実施の形態に係る照明装置１において、映像投影装置４は、映像光の色温度及び明るさの少なくともいずれかを可変する。
【００５６】
この構成によれば、透光板３から差し込まれる光を、窓から部屋に差し込む自然光の明るさや光色が、季節、時間、天気などによって変化するように可変させることができる。
【００５７】
また、本実施の形態に係る照明装置１において、映像投影装置４が入射面３ａに照射した映像光の色温度は、９０００Ｋ以上１５０００Ｋ以下である。そして、映像投影装置４が透光板３を透過して対象物に投影した映像光の色温度は、２７００Ｋ以上６５００Ｋ以下である。
【００５８】
この構成によれば、透光板３の出射面３ｂは青白く見え、対象物に投影された映像Ｍ２は黄色みを帯びたように見えるため、より自然光を模した照明を実現することができる。
【００５９】
また、本実施の形態に係る照明装置１において、透光板３は、波長が３８０ｎｍ以上５５０ｎｍ以下の光において、少なくとも一部の波長成分の光を吸収又は散乱する。
【００６０】
この構成によれば、青色光を含む波長領域である、３８０ｎｍ以上５５０ｎｍ以下の波長の映像光のうち、少なくとも一部の波長成分の映像光を吸収、又は散乱するため、透光板３の出射面３ｂは青白く見え、対象物に投影された映像光が青白く見え難い。このため、より自然光を模した照明を実現することができる。
【００６１】
また、本実施の形態に係る照明装置１において、映像投影装置４は、映像光の光軸が入射面３ａの法線に対して傾斜した状態で、映像光を入射面３ａに照射する。
【００６２】
この構成によれば、例えば、自然光が窓から入る場合、主に、対象物に斜めからの光が照射される。このため、照明装置１では、あたかも窓から対象物に光が差し込むかのような演出を行うことができる。
【００６３】
また、本実施の形態に係る照明装置１において、映像投影装置４の映像光は、時間的に変化する動画像を含む。
【００６４】
この構成によれば、使用者の好みで、自由度の高い照明環境を再現することができる。例えば、陰影に動きをつけることで、風が吹いている様子等を再現することができる。
【００６５】
（実施の形態１の変形例）
以下、実施の形態１の本変形例に係る照明装置１について説明する。
【００６６】
［構成］
実施の形態１の本変形例に係る照明装置１の構成について説明する。
【００６７】
実施の形態１では、透光板３に照射される映像光は、第１波長領域の映像光及び第２波長領域の映像光からなるが、実施の形態１の本変形例では、透光板３に照射される映像光が、第１波長領域の光及び第２波長領域の映像光からなる点で、実施の形態１と相違する。
【００６８】
実施の形態１の本変形例において、照明装置１における他の構成は、実施の形態の照明装置１と同様であり、同一の構成については同一の符号を付して構成に関する詳細な説明を省略する。
【００６９】
映像投影装置４は、制御部４２、記憶部４３、光源４４及び電源部４６の他に、２つの映像形成部４１と、図示しない３つの波長分離部とを有している。
【００７０】
各々の波長分離部は、例えば、ダイクロイックミラー、カラーホイール等であり、光源４４が発する白色光から、赤色光（Ｒ）、緑色光（Ｇ）、青色光（Ｂ）の３色に分けられる。分けられた３色のうち、赤色光を一方の映像形成部４１に照射し、緑色光を他方の映像形成部４１に照射する。映像投影装置４では、各々の映像形成部４１を透過した赤色の映像光及び緑色の映像光と、各々の映像形成部４１に照射させていない青色光とを１つに集め、透光板３に映像光を出射する。なお、これらの光を集めるに際し、これらの光を効率的に集光するために用いるコンデンサレンズ、これらの光の変調を行うＬＣライトバルブ等を用いてもよい。なお、緑色の映像光と赤色の映像光とにより、シアンの映像光が形成される。ここで、青色光は、映像の無い光である。
【００７１】
なお、映像投影装置４では、光源４４の白色光を３色に分離するだけでなく、光源４４の白色光を、第１波長領域の光と、第２波長領域の光（第１波長領域の光（例えば、青色成分の光）を分離した光）との２色に分離してもよい。この場合、例えば、第１波長領域の光は、映像形成部４１を経由しない光路を通過し、第２波長領域の光は、映像形成部４１を経由する光路を通過するように、光源４４の白色光を２色に分離してもよい。また、光源４４の白色光をカラーホイールで２色に時分割する場合で、第１波長領域の光を映像形成部４１に到達させる場合は映像信号を全白にし、第２波長領域の光を映像形成部４１に到達時させる場合は陰影像のある映像に切り替えてもよい。
【００７２】
なお、実施の形態１の本変形例では、光源４４が白色光を発するが、赤色光源、緑色光源及び青色光源をそれぞれ用いてもよい。この場合、波長分離部を用いなくてもよい。
【００７３】
［作用効果］
次に、実施の形態１の本変形例における照明装置１の作用効果について説明する。
【００７４】
上述したように、実施の形態１の本変形例に係る照明装置１において、映像投影装置４は、映像に対応する映像形成部４１と、映像形成部４１から映像光を出射するように白色光を発する光源４４とを有する。そして、光源４４が発する白色光から波長の青色成分の光を分離した第２波長領域の光を映像形成部４１に照射し、第２波長領域の映像光を出射させ、第１波長領域の光と第２波長領域の映像光とを透光板３に照射する。
【００７５】
この構成によれば、映像投影装置４は、互いに波長領域が異なる第１波長領域の光と第２波長の映像光とを出射するため、透光板３に形成される陰影像を、対象物に投影された陰影像（日向および日向内に形成される陰影が再現されている映像）よりも薄くすることができる。このため、青空の見かかりを形成する透光板３において、陰影像を不必要に濃く形成することなく、対象物に投影された日向の映像Ｍ２をはっきり見せることで、より自然に近い照明環境を再現することができる。
【００７６】
特に、第１波長領域の映像光は、第２波長領域の映像光よりも波長が短いため、第２波長領域の映像光よりもエネルギーが高い。このため、光源４４が出射した白色光のうち、第１波長領域の光を、映像形成部４１を経由しない光路で出射したり、カラーホイール等を用いて第１波長領域の光を時間的に分割し、第１波長領域の光が映像形成部４１を透過したりする際は、映像形成部４１に陰影像を形成せずに全白の状態で透過させることで、第１波長領域の光に起因する映像形成部４１の劣化を抑制することができる。
【００７７】
また、実施の形態１の本変形例における照明装置１の他の作用効果についても、実施の形態１と同様の作用効果を奏する。
【００７８】
（実施の形態２）
以下、本実施の形態に係る照明装置１００について説明する。
【００７９】
［構成］
本実施の形態に係る照明装置１００の構成について、図６及び図７を用いて説明する。
【００８０】
図６は、本実施の形態に係る照明装置１００の模式断面図である。図７は、本実施の形態に係る照明装置１００を示すブロック図である。
【００８１】
本実施の形態では、映像投影装置４は揺動する反射板１４０及び揺動部１３０を備えている点で、実施の形態１に対して相違する。
【００８２】
本実施の形態において、照明装置１００における他の構成は、実施の形態１の照明装置１００と同様であり、同一の構成については同一の符号を付して構成に関する詳細な説明を省略する。
【００８３】
図６及び図７に示すように、照明装置１００は、筐体１２０、透光板３及び映像投影装置４の他に、揺動部１３０と、反射板１４０とを備える。本実施の形態における筐体１２０は、左右方向に長尺な箱状をなし、下端面に形成されている開口１２０ａに透光板３を有している。
【００８４】
映像投影装置４は、反射板１４０に向けて映像光を照射するように設けられている。反射板１４０は、軸心Ｙ周りで揺動可能である。この照明装置１００では、反射板１４０及び映像投影装置４が揺動しても、映像投影装置４から出射された映像光が透光板３の入射面３ａを覆うように構成されている。
【００８５】
揺動部１３０は、軸心Ｙ周りで反射板１４０及び映像投影装置４を揺動するアクチュエータである。揺動部１３０は、反射板１４０及び映像投影装置４を揺動させることで、反射板１４０で反射した映像光の光軸Ｘと入射面３ａとの角度が変化するように、反射板１４０及び映像投影装置４を揺動させる。
【００８６】
反射板１４０は、映像投影装置４から出射される映像光を反射する鏡であり、反射した映像光が透光板３に照射するように筐体１２０内に設けられている。反射板１４０は、軸心Ｚ周りで揺動可能である。なお、本実施の形態では、揺動部１３０が反射板１４０及び映像投影装置４を個々の軸心Ｙ及び軸心Ｚ周りで揺動する構成であるが、反射板１４０を固定し、映像投影装置４を軸心Ｙ周りで揺動可能に構成してもよく、映像投影装置４を固定し、反射板１４０を軸心Ｚ周りで揺動可能に構成してもよい。
【００８７】
揺動部１３０の揺動は、照明側制御部１４２によって制御されていてもよい。照明側制御部１４２は、照明側電源部１５０から供給される電力を制御し、映像投影装置４及び反射板１４０を揺動させる角速度、揺動量等を制御する。照明側制御部１４２は、タイマ機能を有し、時間の経過に連動して映像投影装置４及び反射板１４０を周期的に揺動させる。
【００８８】
このような照明装置１００では、映像投影装置４から出射された映像光が反射板１４０で反射し、透光板３に映像光が照射される。揺動部１３０は、反射板１４０及び映像投影装置４を揺動させることで、透光板３に照射する映像Ｍ１を走査する。つまり、反射板１４０で反射した映像光の光軸Ｘと入射面３ａとの角度が変化することで、透光板３から出射する映像光が向かう方向（反射板１４０で反射した映像光の光軸Ｘが向かう方向）も変化する。このため、対象物に投影される映像光の位置も時間の経過に連動して変化する。
【００８９】
また、このような照明装置１では、例えば、照明側制御部１４２が揺動部１３０を介し、反射板１４０を軸心Ｙ周りで揺動させることで、映像光の光軸Ｘと透光板３の入射面３ａとの角度が変化する。この際に、照明側制御部１４２は、透光板３に照射する映像光の色温度も次第に可変する。例えば、映像光の光軸Ｘと透光板３の入射面３ａとの角度が大きくなるに従い、色温度を次第に下げてもよい。
【００９０】
［作用効果］
次に、本実施の形態における照明装置１００の作用効果について説明する。
【００９１】
上述したように、本実施の形態に係る照明装置１００は、さらに、映像光の光軸と入射面３ａとの角度が変化するように、映像投影装置４を揺動させる揺動部１３０を備える。
【００９２】
この構成によれば、揺動部１３０が映像投影装置４を揺動させため、時間の経過に連動して対象物に投影される映像光の位置も変化する。このため、あたかも窓から対象物に差し込む光の位置が、時間の経過に連動して変化する如く、自然光の時間変化を再現することができる。
【００９３】
また、本実施の形態に係る照明装置１００は、さらに、映像光の光軸を反射させて、透光板３に映像光を照射するように設けられた反射板１４０を備える。そして、揺動部１３０は、さらに、反射板１４０を揺動させることで、反射板１４０で反射した映像光の光軸と入射面３ａとの角度が変化するように、反射板１４０を揺動させる。
【００９４】
この構成によれば、映像投影装置４から映像光が反射板１４０を介して透光板３に照射されるため、映像投影装置４及び反射板１４０が可動する領域を狭めることができる。このため、実施の形態１のように反射板１４０を使用しない場合に比べ、映像投影装置４から透光板３までの距離を大きく取る必要がなく、照明装置１００の小型化を実現することができる。
【００９５】
また、本実施の形態に係る照明装置１００は、映像光の光軸と入射面３ａとの角度の変化に応じ、映像光の色温度を可変する。
【００９６】
この構成によれば、時間の経過に連動した光色を出射させることで、朝、昼、夕方、宵等を、時間の経過に連動するように連続的に変化させることができる。
【００９７】
また、本実施の形態における照明装置１００の他の作用効果についても、実施の形態１と同様の作用効果を奏する。
【００９８】
（その他変形例等）
以上、本発明について、実施の形態１、２及び実施の形態１の変形例に基づいて説明したが、本発明は、上記実施の形態１、２及び実施の形態１の変形例に限定されるものではない。
【００９９】
例えば、上記実施の形態２において、反射板及び映像投影装置が揺動する方向は、軸心Ｙ及び軸心Ｚ周りに限定されない。反射板及び映像投影装置は、それぞれが三次元的に、左右方向、上下方向、前後方向に移動してもよい。この場合、照明装置は、反射板及び映像投影装置を移動させる駆動機構を備えていてもよい。
【０１００】
また、上記実施の形態１、２及び実施の形態１の変形例において、この照明装置の筐体内部は、黒色であってもよい。この場合、透光板を介して内部の構造等を視認し難くなるため、使用者の視認性を損ね難い。
【０１０１】
また、上記実施の形態１、２及び実施の形態１の変形例において、映像投影装置が投影する映像は、陰影のある映像であるが、陰影のある映像に限定されない。映像においては、色彩が時間的に変化する映像であってもよく、陰影と色彩とが組み合わされた映像であってもよい。
【０１０２】
また、上記実施の形態１、２及び実施の形態１の変形例において、映像形成部は、切り絵のようなフィルタでもよく、揺動部に揺動されることで動画像の映像を実現してもよい。
【０１０３】
以上、本発明の一つまたは複数の態様について、実施の形態１、２及び実施の形態１の変形例に基づいて説明したが、本発明は、この実施の形態１、２及び実施の形態１の変形例に限定されるものではない。本発明の趣旨を逸脱しない限り、当業者が思いつく各種変形を本実施の形態１、２及び実施の形態１の変形例に施したものや、異なる実施の形態における構成要素を組み合わせて構築される形態も、本発明の一つまたは複数の態様の範囲内に含まれてもよい。
【符号の説明】
【０１０４】
１、１００  照明装置
３  透光板
３ａ  入射面
４  映像投影装置
４１  映像形成部
４４  光源
１３０  揺動部
１４０  反射板
【図１】
2018037243.tif 000003
【図２】
2018037243.tif 000004
【図３】
2018037243.tif 000005
【図４】
2018037243.tif 000006
【図５】
2018037243.tif 000007
【図６】
2018037243.tif 000008
【図７】
2018037243.tif 000009